(57)【要約】【課題】カードアダプタを利用してカードスロットに本来とは異なるメモリカードが装着されている場合でもカードの種類を判別でき、当該カードに合った適切な制御を行うことができる技術の実現。【解決手段】第１の記憶媒体を装着するための装着手段を有する電子機器であって、前記装着手段に装着された記憶媒体の属性情報を取得する取得手段と、前記取得手段により取得した属性情報に基づき前記装着手段に装着された記憶媒体が前記第１の記憶媒体か否か判定する判定手段と、前記判定手段により前記装着手段に装着された記憶媒体が前記第１の記憶媒体ではないと判定された場合、前記装着手段に装着された記憶媒体と通信するためのコマンドを送信する送信手段と、前記送信手段により送信したコマンドの応答の有無に基づき、前記装着手段に装着された記憶媒体の種類を判別する判別手段と、前記判別手段による判別の結果に基づき、前記機器の動作を切り替える制御手段と、を有する。【選択図】図３
2011034237.tif 000002
【特許請求の範囲】
【請求項１】
第１の記憶媒体を装着するための装着手段を有する電子機器であって、
前記装着手段に装着された記憶媒体の属性情報を取得する取得手段と、
前記取得手段により取得した属性情報に基づき前記装着手段に装着された記憶媒体が前記第１の記憶媒体か否か判定する判定手段と、
前記判定手段により前記装着手段に装着された記憶媒体が前記第１の記憶媒体ではないと判定された場合、前記装着手段に装着された記憶媒体と通信するためのコマンドを送信する送信手段と、
前記送信手段により送信したコマンドの応答の有無に基づき、前記装着手段に装着された記憶媒体の種類を判別する判別手段と、
前記判別手段による判別の結果に基づき、前記機器の動作を切り替える制御手段と、を有することを特徴とする電子機器。
【請求項２】
前記装着手段には、アダプタを使用して前記第１の記憶媒体とは異なる第２の記憶媒体の装着が可能であることを特徴とする請求項１に記載の電子機器。
【請求項３】
前記判別手段は、前記属性情報に基づき、前記装着手段に装着された記憶媒体が前記アダプタであるか判別し、
前記アダプタであることを判別した場合に、前記コマンドを送信することにより記憶媒体の種類を判別することを特徴とする請求項２に記載の電子機器。
【請求項４】
前記判別手段は、前記コマンドを送信した後、前記装着手段に装着された記憶媒体との通信が可能となった場合に、前記記憶媒体が通信機能を有すると判断することを特徴とする請求項１または２に記載の電子機器。
【請求項５】
前記判別手段は、前記装着手段に装着された記憶媒体との通信が既に可能となっている場合、前記コマンドを送信せずに、前記記憶媒体の種類を判別することを特徴とする請求項１に記載の電子機器。
【請求項６】
前記判別手段による判別の結果を通知する通知手段をさらに有することを特徴とする請求項１ないし５のいずれか１項に記載の電子機器。
【請求項７】
第１の記憶媒体を装着するための装着手段を有する電子機器の制御方法であって、
前記装着手段に装着された記憶媒体の属性情報を取得する取得工程と、
前記取得した属性情報に基づき前記装着手段に装着された記憶媒体が前記第１の記憶媒体か否か判定する判定工程と、
前記装着手段に装着された記憶媒体が前記第１の記憶媒体ではないと判定された場合、前記装着手段に装着された記憶媒体と通信するためのコマンドを送信する送信工程と、
前記送信したコマンドの応答の有無に基づき、前記装着手段に装着された記憶媒体の種類を判別する判別工程と、
前記判別の結果に基づき、前記機器の動作を切り替える制御工程と、を有することを特徴とする制御方法。
【請求項８】
請求項７に記載の制御方法をコンピュータに実行させるためのプログラム。
【発明の詳細な説明】
【技術分野】
【０００１】
本発明は、電子機器に装着された記憶媒体の種類を判別する技術に関する。
【背景技術】
【０００２】
デジタルカメラで使用されるメモリカードには、外形形状やインターフェース仕様が異なる、ＣＦ（登録商標）カード、スマートメディア、ｘＤ（登録商標）ピクチャーカード、スマートメディア、ＳＤ（登録商標）カード等がある。また、メモリカードの中には、データを記憶するだけでなく、通信機能など特殊な機能を備えたものもある。そして、デジタルカメラの中には、メモリカードの種類や機能に合わせて制御を切り替えるものもある。ここで、現行のデジタルカメラは、上述した仕様が異なる多種のメモリカードに対して、それぞれの仕様に対応するメモリカード用のカードスロットを設けたり、カードアダプタを利用してカードスロットに本来とは異なるメモリカードを装着できるようにしている。
【０００３】
しかしながら、デジタルカメラでは、カードアダプタを利用して装着されているメモリカードの種類が判別できないため、前述したようにメモリカードの種類や機能に合わせた制御の切り替えができない場合がある。そこで、特許文献１には、カードアダプタによりカードスロットに装着されているメモリカードの種類を判別する技術が記載されている。
【先行技術文献】
【特許文献】
【０００４】
【特許文献１】特開２００４−２４６６２３号公報
【発明の概要】
【発明が解決しようとする課題】
【０００５】
しかしながら、上記特許文献１のようにメモリカードの種別を判別するためには、メモリカードを判別する機能を有する専用のカードアダプタが必要となる。
【０００６】
本発明は、上記課題に鑑みてなされ、カードアダプタを利用してカードスロットに本来とは異なるメモリカードが装着されている場合でもカードの種類を判別でき、当該カードに合った適切な制御を行うことができる技術を実現する。
【課題を解決するための手段】
【０００７】
上記課題を達成するために、本発明の電子機器は、第１の記憶媒体を装着するための装着手段を有する電子機器であって、前記装着手段に装着された記憶媒体の属性情報を取得する取得手段と、前記取得手段により取得した属性情報に基づき前記装着手段に装着された記憶媒体が前記第１の記憶媒体か否か判定する判定手段と、前記判定手段により前記装着手段に装着された記憶媒体が前記第１の記憶媒体ではないと判定された場合、前記装着手段に装着された記憶媒体と通信するためのコマンドを送信する送信手段と、前記送信手段により送信したコマンドの応答の有無に基づき、前記装着手段に装着された記憶媒体の種類を判別する判別手段と、前記判別手段による判別の結果に基づき、前記機器の動作を切り替える制御手段と、を有する。
【発明の効果】
【０００８】
本発明によれば、カードアダプタを利用してカードスロットに本来とは異なるメモリカードが装着されている場合でもカードの種類を判別でき、当該カードに合った適切な制御を行うことができる。
【図面の簡単な説明】
【０００９】
【図１】本発明に係る実施形態の撮像装置の構成を例示するブロック図。
【図２】本実施形態のカードアダプタとメモリカードの構成を例示するブロック図。
【図３】本実施形態１の撮像装置の動作を示すフローチャート。
【図４】本実施形態２の撮像装置の動作を示すフローチャート。
【図５】一般的なファイルシステムによるディレクトリ構成（ａ）、本実施形態のディレクトリ構成（ｂ）及び表示例（ｃ）を示す図。
【発明を実施するための形態】
【００１０】
以下に、添付図面を参照して本発明を実施するための最良の形態について詳細に説明する。尚、以下に説明する実施の形態は、本発明を実現するための一例であり、本発明が適用される装置の構成や各種条件によって適宜修正又は変更されるべきものであり、本発明は以下の実施の形態に限定されるものではない。
【００１１】
［実施形態１］図１を参照して、本実施形態のデジタルスチルカメラの構成について説明する。図１において、本実施形態の電子機器はデジタルカメラなどの撮像装置であり、撮影レンズ１０１を通して被写体像を受光し光電変換するＣＭＯＳセンサ等の撮像素子１０２を備える。
【００１２】
撮像素子１０２により撮像された画像信号がＡ／Ｄ変換器１０３によってデジタル信号に変換されてＲＡＷ画像データが生成される。なお、Ａ／Ｄ変換器１０３から出力される画像データであって、ホワイトバランス、コントラスト、シャープネス、色の濃さ、色あい等を調整していないデジタル画像データをＲＡＷ画像データと呼ぶ。
【００１３】
Ａ／Ｄ変換器１０３から出力されたＲＡＷ画像データはメモリコントローラ１０４を介してメモリ１０５に格納される。メモリ１０５は複数の画像分のＲＡＷ画像データを保持するのに十分な記憶容量を有し、動画記録時は動画バッファ、静止画記録時は静止画バッファとして使用される。
【００１４】
メモリ１０５に保持されたＲＡＷ画像データは、ＲＡＷデータ処理部１０６によってキズ補正処理が施される。キズ補正処理とは、撮像素子１０２上のキズ、撮像素子１０２に付着したホコリ等によって欠損した部分を補正する処理である。
【００１５】
また、静止画記録形式がＲＡＷ形式である場合には、ＲＡＷデータ処理部１０６において、さらに所定の可逆圧縮方式（独自の可逆圧縮方式、ＪＰＥＧ２０００又はＴＩＦＦで規定された可逆圧縮方式等）に従って可逆圧縮が行われる。
【００１６】
記録形式がＪＰＥＧである場合は、静止画処理部１０７はＲＡＷデータ処理部１０６から出力された画像データに対して所定の画像処理（ホワイトバランス、コントラスト、シャープネス、色の濃さ、色あい等を調整する処理）を施す。また、静止画処理部１０７は、ベースラインＪＰＥＧに従って圧縮を行い、記録用の静止画データを生成する。
【００１７】
動画記録時には、撮像素子１０２によって一定周期（例えば、１／３０秒周期）で撮像された画像信号がＡ／Ｄ変換器１０３でデジタル信号に変換され、ＲＡＷ画像データが生成される。Ａ／Ｄ変換器１０３から出力されるオリジナルの画像データは、メモリコントローラ１０４を介してメモリ１０５に格納されるとともに、動画処理部１０８に送られる。
【００１８】
動画処理部１０８では、色差データ生成回路、画像のリサイズ回路、ＭＰＥＧ等の所定の動画圧縮回路を経て、記録用の画像データが生成される。そして、生成された静止画データ及び動画データは、撮像装置に対して着脱自在に取り付けられたメモリカードコネクタ（例えば、不揮発性の半導体メモリを内蔵したメモリカード）１１０及び１１１に記録される。
【００１９】
１１９は制御部１０９でのプログラムの実行に応じて、文字、画像、音声等を用いて動画状態やメッセージ等を表示する液晶表示装置、スピーカー等の表示部である。表示部１１９は、カメラの操作部近辺の視認し易い位置に単数或いは複数箇所設置され、例えばＬＣＤやＬＥＤ、発音素子等の組み合わせにより構成されている。
【００２０】
表示部１１９の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、等がある。また、シャッタースピード表示、絞り値表示、露出補正表示、フラッシュ表示、赤目緩和表示、マクロ撮影表示、ブザー設定表示、時計用電池残量表示、電池残量表示、エラー表示、等がある。さらに、複数桁の数字による情報表示、メモリカードコネクタ１１０及び１１１の着脱状態表示、通信Ｉ／Ｆ動作表示、日付け・時刻表示、外部コンピュータとの接続状態を示す表示、等がある。
【００２１】
さらに、表示部１１９の表示内容のうち、ＬＥＤ等に表示するものとしては、例えば、合焦表示、撮影準備完了表示、手振れ警告表示、フラッシュ充電表示、フラッシュ充電完了表示、メモリカード書き込み動作表示、等がある。さらに、マクロ撮影設定通知表示、二次電池充電状態表示、等もある。そして、表示部１１９の表示内容のうち、ランプ等に表示するものとしては、例えば、セルフタイマー通知ランプ、等がある。このセルフタイマー通知ランプは、ＡＦ補助光と共用して用いてもよい。
【００２２】
ＡＦ回路１１２は自動で焦点を検出するための回路であり、ＡＥ回路１１３は撮影画像の露出を決定するための回路である。操作スイッチ１１４は各種撮影条件を設定するためのスイッチであり、動画モード／静止画モード、ＩＳＯ感度、その他の撮影条件の設定が行われる。レリーズスイッチ１１５は第１及び第２のストロークを有しており、静止画撮影を行う場合に、第１のストロークでＳＷ１がＯＮすると、ＡＦやＡＥ等の撮影準備動作が開始され、第２のストロークのＳＷ２がＯＮすると、静止画撮影動作が行われる。記録形式設定スイッチ１１７は静止画撮影時のデータ記録形式を設定するためのものであり、撮影データをＲＡＷ形式で記録するか、ＪＰＥＧ形式で記録するかの設定を行う。  動画撮影開始・停止スイッチ１１８は動画記録動作の開始用スイッチであり、操作スイッチ１１４により撮影モードが動画モードに設定されている際に動画撮影開始・停止スイッチ１１８が押されると、動画記録動作が開始される。
【００２３】
次に、図２を参照して、本実施形態のカードアダプタ２０１と通信機能付きメモリカード２０２の構成について説明する。図２において、カードアダプタ２０１は、第２の記憶媒体としてのメモリカードの接続部を、異なる規格の第１の記憶媒体としての第１のメモリカード用のカードスロットの接点に電気的に接続するために使用される。例えば、カードアダプタ２０１は、ＳＤカードを、異なる規格のＣＦカード用のカードスロットに挿入して使用できるようにする。具体的には、メモリカード２０２をメモリカード挿入部２０５から挿入し、メモリカード２０２の接続部とカードアダプタ２０１の接続部２０４とが接触することで、カードアダプタ２０１を介してメモリカード２０２にアクセスすることができる。
【００２４】
無線通信機能を有するメモリカード（以下、通信機能付きメモリカード）２０２は、コネクタ２０６、レジスタなどのメモリを含むマイコン２０７、無線通信回路部２０８、メモリ回路部２０９を有する。コネクタ２０６は、通信機能付きメモリカード２０２と撮像装置または他の情報処理装置等との接続を可能にする。通信機能付きメモリカード２０２は、例えばＳＤカード用のカードスロットを有するメモリカードコネクタ１１０に着脱自在である。コネクタ２０６は、メモリカードコネクタ１１０に装着されると撮像装置との間でデータの授受を行うインターフェースとして機能する。コネクタ２０６は通信機能付きメモリカード２０２と撮像装置とを機械的に結合するとともに電気的にも接続する。
【００２５】
通信機能付きメモリカード２０２がコネクタ２０６によって撮像装置に接続されると、電源ラインを介して撮像装置から電力の供給を受け、リセット回路により初期化されて動作を開始し、バスラインを介して撮像装置と通信を行う。無線通信回路部２０８は、無線によって同等の無線通信機能を有する電子機器その他の情報処理装置等へデータ送信を行う機能を備える。すなわち、無線通信回路部２０８は、無線通信機能を有する電子機器との間でデータ通信を行う。無線通信回路部２０８は、例えば無線ＬＡＮなどの電波による無線通信を行うが、通信形態として赤外線を用いたものでもよい。メモリ回路部２０９は、ＥＥＰＲＯＭやフラッシュ型ＥＥＰＲＯＭなどの書き換え可能な不揮発性メモリ素子で構成され、コネクタ２０６を介して接続機器から受信したデータを記録する機能を備える。マイコン２０７はメモリを内蔵しており、メモリに予め格納された制御手順に従ってコネクタ２０６を介して接続機器との通信の制御、無線通信回路部２０８の制御、メモリ回路部２０９の制御を行う。
【００２６】
また、一般的なメモリカードは、当該カードの接続機器との間で、メモリカードの規格に準拠した仕様、例えばＳＤカード規格に従ってデータ通信を行う。これに対して、通信機能付きメモリカード２０２は、データ通信はカード規格に従うものの、通信状態などカード規格に記述がない内容については、カード規格とは無関係な上位概念であるファイルシステムを利用して電子機器と通信するメモリカードである。
【００２７】
以下に、図５を参照して、通信機能付きメモリカード２０２が利用するファイルシステムについて説明する。一般的なファイルシステムは図５（ａ）のようにツリー状に構成され、最上位にはルートディレクトリ３００が存在する。ユーザはルートディレクトリ３００の下にサブディレクトリ３０１，３０２やファイルなどを作成することができる。これに対して、ファイルシステムを利用して通信を行う通信機能付きメモリカード２０２のフォルダ構成を図５（ｂ）に例示する。通信機能付きメモリカード２０２がファイルシステムを利用して通信を行うために、図５（ａ）に示した「ＤＣＩＭ」及び「ＭＩＳＣ」ディレクトリの他に、通信制御用のディレクトリ３０３と、そのディレクトリ中に通信制御用ファイル３０４，３０５を作成する。ここでファイル３０４はコマンド送信用のファイルであり、通信機能付きメモリカード２０２を使用する接続機器、本実施形態でいえば撮像装置がカードに対して特定の要求を行う場合に使用する。また、コマンド送信用ファイル３０４に特有の文字列や数値などを書き込むことで、通信機能付きメモリカード２０２に対して要求を発行することができる。一方、ファイル３０５はレスポンス受信用のファイルであり、これは通信機能付きメモリカード２０２がカード接続機器からのコマンドに対する応答をするために用意されたファイルである。通信機能付きメモリカード２０２はこのレスポンス受信用ファイル３０５に、特定のデータを書き込むことで、カード接続機器からのコマンドに対して応答を行うことができる。そして、上述したファイルシステムを利用することで、メモリカードでカード特有の通信規格に依存しない通信を行うことができる。
【００２８】
次に、図３を参照して、本実施形態の撮像装置のメモリカード装着時の動作について説明する。なお、以下の説明では、ＳＤカード規格にしたがった通信機能付きメモリカードを上述したカードアダプタ２０１を利用して、異なる規格であるＣＦカード用のカードスロットに装着して使用するものとする。図３において、まずユーザにより操作スイッチ１１４が操作されて撮像装置の主電源がＯＮされると、制御部１０９は所定の初期化処理を実行する（Ｓ１０１）。次に、制御部１０９は、メモリカードコネクタ１１０，１１１にメモリカードが装着されているか否かを判定する（Ｓ１０２）。ここでの判定方法はカードの種類ごとに異なるが、例えばＣＦカードの場合には、カードのインターフェース信号に含まれるカードが装着されたことを検知するための信号（ＣＤ１Ｘ、ＣＤ２Ｘ）を使用する。これらの信号を検知することでメモリカードの有無を判定できる。ＳＤカードも同様の信号が用意されている。
【００２９】
次に、メモリカードの装着が検知された場合、制御部１０９は、種類判別部１２２により装着が検知されたメモリカードの種類を判定するために、メモリカードから属性情報を読み出す（Ｓ１０３）。この属性情報はメモリカードによって異なるが、例えばＣＦカードの場合には、カードの種類、タイミング情報、カードの動作モード情報、製品情報、製造会社名、製品名、バージョンなどを含む。
【００３０】
次に、制御部１０９は、メモリカードから取得した属性情報に基づき、装着が検知されたメモリカードの機能を判定する。ところで、ＣＦカード用のカードスロットにカードアダプタ２０１を介してＳＤカードが装着されている場合、第２のメモリカードの属性情報ではなく、カードアダプタ２０１の属性情報を取得してしまい、第２のメモリカードの機能を判定できない。そこで、Ｓ１０４以降の処理により、カードアダプタ２０１に装着されたメモリカードの種類を判定している。即ち、コマンド出力部１２０がカードアダプタ２０１に対して特定の名前のディレクトリを作成するコマンドを発行する（Ｓ１０４ａ）。カードアダプタ２０１は、このコマンドに対して応答する。制御部１０９は、カードアダプタ２０１からの応答に応じて、通信用ディレクトリを作成する（Ｓ１０４ｂ）。このディレクトリ名は、判別対象のメモリカードの種類によって異なるため、メモリカードに合った名前にする。
【００３１】
次に、Ｓ１０４ｂで作成した通信用ディレクトリの中にコマンドを送信するためのファイルと、レスポンスを受信するために必要なファイルとをそれぞれ作成する（Ｓ１０５）。これもディレクトリと同じように、ファイル名、ファイルサイズ等は、判別対象のメモリカードにより異なるため、メモリカードに合わせて作成する。
【００３２】
次に、種類判別部１２２は、Ｓ１０５で作成したコマンド送信用ファイル、レスポンス受信用ファイルを使用してメモリカードの種類を判別する（Ｓ１０６〜Ｓ１１３）。ここでは、まずコマンド出力部１２０がコマンド用ファイルに対して特定のコマンド（文字、数値など）を書き込みコマンドを発行する（Ｓ１０６）。このコマンドはメモリカードの種類を判別するためのものでなく、例えばメモリカードの状態を取得するようなコマンドでもよい。ただし、コマンドを送信するだけのものではなく、メモリカードから応答が期待できるコマンドである必要がある。
【００３３】
コマンドを送信した後、応答確認部１２１はＳ１０５で作成したレスポンス受信用ファイルをメモリカードから読み出す（Ｓ１０７）。また、応答確認部１２１は、読み出したレスポンス受信用ファイルの内容を確認し、メモリカードにおいてコマンドに対してレスポンス受信用ファイルに応答のためのデータが書き込まれているか判定する（Ｓ１０８）。レスポンス受信用ファイルに応答データが記述されていた場合、コマンドに対する応答があった判断できるため、種類判別部１２２は判別対象のメモリカードの種類が、ここでは通信機能付きの第２のメモリカードであると判定できる。そして、制御切り替え部１２３は、Ｓ１０８での判定の結果に基づき、撮像装置をカード機能に合わせた制御に切り替える（Ｓ１０９）。さらに通信機能付きの第２のメモリカードが認識できたことを表示部１１９により図５（ｃ）のように表示すればユーザにわかりやすくなる（Ｓ１１０）。ここでは、例えば通信機能付きの第２のメモリカードの場合、当該メモリカードから無線通信によりデータ転送中に省エネモードに移行しないような制御に切り替える。これにより、データ転送中に省エネモードに移行してしまい、データ転送が中断してしまうことを回避できる。
【００３４】
一方、Ｓ１０７で読み出したレスポンス受信用ファイルの内容に変化がない場合、一定時間が経過するまでＳ１０６でのコマンド送信とＳ１０７でのレスポンス受信とを繰り返す（Ｓ１１１）。これにより、メモリカードの判別精度を高めることができる。Ｓ１１１で一定時間が経過しても、レスポンス用ファイルの内容に変化がない場合は、種類判別部１２２は、通信機能付きの第２のメモリカードではないと判断する。さらに種類判別部１２２は、Ｓ１０５で作成したコマンド送信用ファイル及びレスポンス受信用ファイルを削除し（Ｓ１１２）、制御切り替え部１２３は、通常の（無線通信機能のない）メモリカードの機能に合わせた制御を行う。
【００３５】
本実施形態によれば、カードアダプタを利用して本来のカードとは異なるメモリカードをカードスロットに装着した場合でも、装着されたメモリカードの種類を判定できる。このため、撮像装置をメモリカードの機能に合わせた制御に切り替えることができる。これにより、例えば通信機能付きメモリカードの場合は、データ転送中に撮像装置が省電力モードに移行しないように制御したり、通信に関するメニューなどを新たに表示するような制御も可能になる。
【００３６】
＜実施形態２＞次に、図４を参照して、実施形態２による撮像装置のメモリカード装着時の動作について説明する。なお、本実施形態でも、通信機能付きのＳＤカードをカードアダプタ２０１を利用してＣＦカード用のカードスロットに装着して使用しているものとする。図４において、まずＳ２０１〜Ｓ２０３では、図３のＳ１０１〜Ｓ１０３と同様に、制御部１０９は、初期化、メモリカードの有無確認、メモリカードの属性情報取得を行う。次に、制御部１０９は、メモリカードから既に通信用ディレクトリが作成されているか判定する（Ｓ２０４）。通信用ディレクトリ３０３がある場合、このメモリカードは通信機能付きの第２のメモリカードであると判断し、制御部１０９はそのメモリカードに合った制御に切り替える（Ｓ２０８）。
【００３７】
一方、通信用ディレクトリ３０３がなかった場合、制御部１０９は、Ｓ２０３で取得した属性情報に含まれる製品情報からカードアダプタが利用されているか判定する（Ｓ２０５）。Ｓ２０５でカードアダプタが利用されている場合、通信機能付きの第２のメモリカードが装着されている可能性があるので、図３のＳ１０６〜Ｓ１０８と同様にコマンド送信によるカードの判別処理を行う（Ｓ２０６、Ｓ２０７）。このカードアダプタであるか否かの判定は、例えばＣＦカードの場合、属性情報としてＣＩＳ（Ｃａｒｄ Ｉｎｆｏｍａｔｉｏｎ Ｓｔｒｕｃｔｕｅ）を記憶している。よって、ＣＩＳ中のバージョン情報に『Ｍｅｍｏｒｙ Ｃａｒｄ Ａｄａｐｔｅｒ』などと記述されていた場合にカードアダプタであると判定できる。一方、Ｓ２０５でカードアダプタが利用されていない場合、通信機能付きの第２のメモリカードではないと判定できるので、通常のメモリカードの機能に合わせた制御を行う（Ｓ２０９）。
【００３８】
本実施形態によれば、カードアダプタの利用の有無を判定することにより、カード判別処理精度を高めることができる。また、メモリカードの属性情報や通信用ディレクトリの有無だけでカード種別を判別できるので処理負荷を軽減することができる。
【００３９】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011034237.tif 000003
【図２】
2011034237.tif 000004
【図３】
2011034237.tif 000005
【図４】
2011034237.tif 000006
【図５】
2011034237.tif 000007